(57)【要約】【課題】  コンテンツの表示形式を保持することができる携帯端末、携帯端末の制御方法及びプログラムを提供する。【解決手段】  表示部１０に表示されたウェブページのタイトルをユーザが操作部１２により選択すると、ブラウザ部２２が記憶部１４に記憶された参照情報フォルダから対応する参照情報を取得する。この際、ブラウザ設定部２４により参照情報毎または参照情報フォルダ毎に設定された設定情報も取得する。ブラウザ部２２は、上記参照情報を用いて所望のウェブページのソースを取得する。次に、ブラウザ部２２は、取得したソースを解読し、上記設定情報により決定される表示形式に基づいて表示データを作成し、表示制御部２０に渡す。表示制御部２０では、与えられた表示データを表示部１０に表示する。【選択図】        図１
2006127154.tif 000002
【特許請求の範囲】
【請求項１】
通信ネットワーク上のコンテンツを参照するための参照情報を用い、前記コンテンツを表示可能な携帯端末であって、
前記参照情報毎に表示形式を設定する表示形式設定手段と、
前記参照情報に対応するコンテンツを、前記設定された表示形式で表示する表示手段と、
前記参照情報を前記設定された表示形式とともに記憶する記憶手段と、
を備えることを特徴とする携帯端末。
【請求項２】
通信ネットワーク上のコンテンツを参照するための参照情報を用い、前記コンテンツを表示可能な携帯端末であって、
前記参照情報を格納する参照情報格納手段と、
前記参照情報格納手段毎に表示形式を設定する表示形式設定手段と、
前記参照情報に対応するコンテンツを、前記参照情報が格納された参照情報格納手段に設定された表示形式で表示する表示手段と、
前記参照情報格納手段に設定された表示形式を記憶する記憶手段と、
を備えることを特徴とする携帯端末。
【請求項３】
請求項１または請求項２記載の携帯端末において、前記表示形式は、画面上の配置方法に関する表示モード、表示内容の拡大、縮小に関する表示サイズ、文字コード及び画像データの取得の有無を含むことを特徴とする携帯端末。
【請求項４】
通信ネットワーク上のコンテンツを参照するための参照情報を用い、前記コンテンツを表示可能な携帯端末の制御方法であって、
前記参照情報毎に表示形式を設定するステップと、
前記参照情報に対応するコンテンツを、前記設定された表示形式で表示するステップと、
前記参照情報を前記設定された表示形式とともに記憶するステップと、
を備えることを特徴とする携帯端末の制御方法。
【請求項５】
通信ネットワーク上のコンテンツを参照するための参照情報毎に表示形式を設定し、
前記参照情報に対応するコンテンツを、前記設定された表示形式で表示し、
前記参照情報を前記設定された表示形式とともに記憶する処理をコンピュータに実行させることを特徴とするプログラム。
【発明の詳細な説明】
【技術分野】
【０００１】
本発明は、通信ネットワーク上のコンテンツを参照するための参照情報を用い、前記コンテンツを表示可能な携帯端末の改良に関する。
【背景技術】
【０００２】
従来より、インターネットのような通信ネットワーク上のコンテンツを表示することができる携帯端末が実用化されている。このような携帯端末では、予め通信ネットワーク上に存在しているコンテンツを参照するための参照情報を記憶しておき、コンテンツを参照する際には、対応する参照情報を呼び出して所望のコンテンツにアクセスする構成が採用されている。
【０００３】
例えば、下記特許文献１には、コンテンツを特定するＵＲＬが変更されたときに、記憶部に記憶されているＵＲＬを自動更新することができる移動無線端末装置が開示されている。
【特許文献１】特開２００４−１１００９４号公報
【発明の開示】
【発明が解決しようとする課題】
【０００４】
しかし、上記従来の技術においては、コンテンツの表示形式を任意に変更、設定しても、これを保持することができず、コンテンツの表示の都度再度設定する必要があり、操作が煩雑であるという問題があった。
【０００５】
本発明は、上記従来の課題に鑑みなされたものであり、その目的は、コンテンツの表示形式を保持することができる携帯端末、携帯端末の制御方法及びプログラムを提供することにある。
【課題を解決するための手段】
【０００６】
上記目的を達成するために、本発明は、通信ネットワーク上のコンテンツを参照するための参照情報を用い、前記コンテンツを表示可能な携帯端末であって、前記参照情報毎に表示形式を設定する表示形式設定手段と、前記参照情報に対応するコンテンツを、前記設定された表示形式で表示する表示手段と、前記参照情報を前記設定された表示形式とともに記憶する記憶手段と、を備えることを特徴とする。
【０００７】
また、本発明は、通信ネットワーク上のコンテンツを参照するための参照情報を用い、前記コンテンツを表示可能な携帯端末であって、前記参照情報を格納する参照情報格納手段と、前記参照情報格納手段毎に表示形式を設定する表示形式設定手段と、前記参照情報に対応するコンテンツを、前記参照情報が格納された参照情報格納手段に設定された表示形式で表示する表示手段と、前記参照情報格納手段に設定された表示形式を記憶する記憶手段と、を備えることを特徴とする。
【０００８】
ここで、上記表示形式は、画面上の配置方法に関する表示モード、表示内容の拡大、縮小に関する表示サイズ、文字コード及び画像データの取得の有無を含むのが好適である。
【０００９】
また、本発明は、通信ネットワーク上のコンテンツを参照するための参照情報を用い、前記コンテンツを表示可能な携帯端末の制御方法であって、前記参照情報毎に表示形式を設定するステップと、前記参照情報に対応するコンテンツを、前記設定された表示形式で表示するステップと、前記参照情報を前記設定された表示形式とともに記憶するステップと、を備えることを特徴とする。
【００１０】
また、本発明は、コンピュータのプログラムであって、通信ネットワーク上のコンテンツを参照するための参照情報毎に表示形式を設定し、前記参照情報に対応するコンテンツを、前記設定された表示形式で表示し、前記参照情報を前記設定された表示形式とともに記憶する処理をコンピュータに実行させることを特徴とする。
【発明の効果】
【００１１】
本発明によれば、参照情報を表示形式とともに記憶する記憶手段または参照情報格納手段に設定された表示形式を記憶する記憶手段を備えるので、コンテンツの表示形式を保持することができる。
【発明を実施するための最良の形態】
【００１２】
以下、本発明を実施するための最良の形態（以下、実施形態という）を、図面に従って説明する。
【００１３】
図１には、本発明にかかる携帯端末の一実施形態の構成のブロック図が示される。図１において、携帯端末は、表示部１０、操作部１２、記憶部１４、通信部１６及び制御部１８を含んで構成されている。
【００１４】
表示部１０は、例えば液晶ディスプレイ等で構成され、文字データ、数値データ等のキー入力の内容、各種図形、ブラウザ部２２が発生した通信ネットワーク上のコンテンツの内容等を表示する。
【００１５】
上記キー入力は、図１の操作部１２により行う。この操作部１２は、例えば携帯端末の操作ボタン等により構成される。
【００１６】
記憶部１４は、例えば不揮発性メモリとしてのＥＥＰＲＯＭ、磁気記憶媒体等で構成されており、キー入力の内容、コンテンツの表示形式等の各種データ及びプログラム等が記憶される。なお、制御部１８の作業用のＲＡＭは図示を省略する。
【００１７】
通信部１６は、公知の方法により基地局と通信して携帯通信端末としての通話機能を実現している。
【００１８】
制御部１８は、例えばＣＰＵ等で構成され、表示部１０、操作部１２、記憶部１４及び通信部１６とデータのやり取りを行いながらこれらの動作を制御する。
【００１９】
制御部１８の表示制御部２０は、主として表示部１０に表示される内容を制御する。この表示には、コンテンツの表示も含まれる。
【００２０】
また、ブラウザ部２２は、通信ネットワーク上に存在するコンテンツを参照するための参照情報を用いてコンテンツにアクセスし、コンテンツのソースを所望のウェブサイトから受け取って表示データに変換する。なお、コンテンツには音声データも含まれていてよく、この場合、ブラウザ部２２は、通信部１６に含まれる音声再生部から音声を出力させるように構成される。上記参照情報としては、インターネット上のコンテンツを特定し、このコンテンツの所在を指示するＵＲＬ（Uniform Resource Locator）等を使用することができる。
【００２１】
また、ブラウザ設定部２４は、ブラウザ部２２が発生した表示データを、上記表示制御部２０が表示部１０に表示する際の表示形式を設定する処理を実行する。この表示形式の設定は、上記参照情報毎または参照情報フォルダ毎に行われる。ここで参照情報フォルダは参照情報格納手段のことである。表示形式としては、例えば画面上の配置方法に関する表示モード、表示内容の拡大、縮小に関する表示サイズ、文字コード及び画像データの取得の有無等が含まれる。上記表示モードの例としては、例えば上記コンテンツとしてのウェブサイトのページを、表示部１０の画面の横幅にあわせて縮小表示するモード、ウェブサイトのページを元のままの大きさで表示するモード及びウェブサイトのページを表示部１０の画面の横幅にあわせてフォーマットし直して表示するモード等がある。
【００２２】
なお、上述した制御部１８は、ＣＰＵを中心として構成されたコンピュータであってよく、この場合、メモリカードその他の媒体に格納されたプログラムをＣＰＵが実行することで制御部１８の各機能が実現される。
【００２３】
図２には、本実施形態にかかる携帯端末の動作の説明図が示される。図２では、ブラウザ部２２が所望のコンテンツにアクセスして取得したソースを表示データに変換し、表示制御部２０が表示部１０に、ブラウザ設定部２４が設定した上記表示形式に基づいて表示している。
【００２４】
ここで、ユーザにより操作部１２から表示中のコンテンツの保存指示が入力されると、ブラウザ部２２からブラウザ設定部２４に当該コンテンツの保存が通知される。このとき、ブラウザ設定部２４は、表示部１０に表示中のコンテンツに対応する参照情報毎に予め設定した表示形式を記憶部１４に設定された参照情報フォルダに記憶させ、保存する。また、ブラウザ部２２は、当該コンテンツとしてのウェブサイトのページのタイトル及び参照情報を上記参照情報フォルダに記憶させる。この際、タイトル及び参照情報は、表示形式と組み合わされて記憶される。これにより、コンテンツの表示形式をタイトル及び参照情報と関連付けて保持することができる。
【００２５】
また、ブラウザ部２２は、上記ウェブサイトのページのタイトルを表示制御部２０に渡し、登録されたタイトルとして表示部１０に表示する。このタイトルは、ユーザが操作部１２から入力した選択入力により選択でき、ブラウザ部２２に対応する参照情報が渡されるように構成されている。
【００２６】
図３には、表示形式をタイトル及び参照情報と関連付けて記憶した参照情報フォルダの例が示される。図３の例では、各参照情報及びタイトル毎に、表示形式を決定する設定条件が格納されている。
【００２７】
なお、上記説明は、表示形式をタイトル及び参照情報と関連付けて保持するものであったが、表示形式は参照情報を格納する参照情報フォルダ毎に設定してもよい。この場合は、ブラウザ設定部２４が、操作部１２からのユーザの指示入力に基づき、予め参照情報フォルダ毎に表示形式を設定し、記憶部１４に記憶させておく。
【００２８】
図４（ａ）には、参照情報フォルダの例が示される。図４（ａ）において、参照情報フォルダには、例えばフォルダ番号が付されており、参照情報フォルダ相互を識別できるように構成される。また、参照情報フォルダには、コンテンツとしてのウェブサイトのページのタイトルとＵＲＬ等の参照情報とが組み合わされて格納されている。このタイトルは、表示制御部２０により表示部１０に表示され、ユーザが操作部１２から入力した選択入力により選択でき、ブラウザ部２２に対応する参照情報が渡されるように構成されている。
【００２９】
また、図４（ｂ）には、表示形式を参照情報フォルダ毎に設定し、記憶したテーブルの例が示される。このテーブルも、記憶部１４に記憶されている。図４（ｂ）のテーブルでは、記憶部１４に設定された参照情報フォルダのフォルダ番号毎に、表示形式を決定する設定条件が格納されている。この設定条件は、上述したように、ブラウザ設定部２４により設定される。
【００３０】
図５には、以上に説明した、表示形式が設定された参照情報または参照情報フォルダを使用して、表示部１０に所望のコンテンツを表示する際の動作の説明図が示される。図５において、表示部１０に表示されたタイトルをユーザが操作部１２により選択すると、そのタイトルの情報に基づき、ブラウザ部２２が記憶部１４に記憶された参照情報フォルダ（図３または図４（ａ））から対応する参照情報を取得する。また、この際、図３の参照情報毎に設定された設定情報または選択した参照情報が格納されていた図４（ｂ）の参照情報フォルダ毎に設定された設定情報も取得する。
【００３１】
ブラウザ部２２は、上記参照情報を用いて所望のコンテンツにアクセスし、ウェブページのソースを取得する。次に、ブラウザ部２２は、取得したソースを解読し、上記設定情報により決定される表示形式に基づいて表示データを作成し、表示制御部２０に渡す。表示制御部２０では、与えられた表示データを表示部１０に表示する。
【００３２】
以上により、所望のコンテンツを表示部１０に表示する際に、予め参照情報毎または参照情報フォルダ毎に設定された表示形式に基づいて表示できるので、表示の都度表示形式を設定する必要がなく、操作の簡略化を図ることができる。
【図面の簡単な説明】
【００３３】
【図１】本発明にかかる携帯端末の一実施形態の構成のブロック図である。
【図２】図１に示された携帯端末の動作の説明図である。
【図３】参照情報フォルダの例を示す図である。
【図４】参照情報フォルダの他の例を示す図である。
【図５】図１に示された表示部に所望のコンテンツを表示する際の動作の説明図である。
【符号の説明】
【００３４】
１０  表示部、１２  操作部、１４  記憶部、１６  通信部、１８  制御部、２０  表示制御部、２２  ブラウザ部、２４  ブラウザ設定部。
【図１】
2006127154.tif 000003
【図２】
2006127154.tif 000004
【図３】
2006127154.tif 000005
【図４】
2006127154.tif 000006
【図５】
2006127154.tif 000007